(57)【要約】【課題】非筆記状態における筆記体の筆記先端が軸筒の先端開口部に没入した状態で、軸筒の先端開口部側を下に向けて落下しても、筆記体の筆記先端が軸筒の先端開口部から突出しない構造のノック式筆記具を得る。【解決手段】側方に後方から前方へ向かって外方へ拡がる傾斜部１１ａを有した板バネ１１を配し、前方に筆記体６の後端部６ｂを保持する保持孔１０ａを有した保持体１０を、回転カム５に設けた開口部５ｃへ挿着させ、軸筒２の先端開口部７ａに筆記体６の筆記先端６ｃが没入した状態では、板バネ１１が弾性力で外方に拡がり板バネ１１の前端部１１ｂが軸筒２の側面に形成した係止窓２ａに係止され構造とする。【選択図】図５
2012131185.tif 000002
【特許請求の範囲】
【請求項１】
軸筒内に設けたカム溝に沿って摺動可能な摺動突起を有したノック体と、前記ノック体の前方で前記カム溝を摺動して該カム溝の前端部に設けた係止部に係止する係止突起を有した回転カムとを、ノック体に形成した軸心方向に対する傾斜面で構成された凹凸状の噛合部に、回転カムに形成した前記噛合部に噛合う被噛合部を噛合わせて配設し、前記ノック体を押動することにより前記回転カムを摺動させると共に、該回転カムの回転に伴い軸筒内に収容した筆記体の筆記先端を軸筒の先端開口部から出没させるノック式筆記具であって、側方に後方から前方へ向かって外方へ拡がる傾斜部を有した板バネを配し、前方に前記筆記体の後端部を保持する保持孔を有した保持体を、前記回転カムに設けた開口部へ挿着させ、前記軸筒の先端開口部に前記筆記体の筆記先端が没入した状態では、前記板バネが弾性力で外方に拡がり当該板バネの前端部が該軸筒の側面に形成した係止窓に係止され、前記筆記体の筆記先端が没入した状態から前記ノック体を押動した状態では、該ノック体に従動して前進した前記回転カムの前端部が前記板バネの傾斜面に当接することで、該板バネが内方へ弾性変形して当該板バネの前端部と前記係止窓との係止状態を解除し、前記軸筒の先端開口部から前記筆記体の筆記先端が突出した状態では、前記保持体の後端部が前記回転カムに当接して筆圧を受ける構造を特徴としたノック式筆記具。
【発明の詳細な説明】
【技術分野】
【０００１】
本発明は、軸筒の後端部に配設したノック体を押圧操作することにより、軸筒内にバネで後方へ弾発して収容した筆記体の筆記先端を軸筒の先端開口部より出没する繰出機構を有したノック式筆記具に関する。
【背景技術】
【０００２】
従来、ノック式筆記具では、軸筒内に設けたカム溝に沿って摺動可能な摺動突起を有したノック体と、ノック体の前方でカム溝を摺動して該カム溝の前端部に設けた係止部に係止する係止突起を有した回転カムとを、ノック体に形成した軸心方向に対する傾斜面で構成された凹凸状の噛合部に、回転カムに形成した噛合部に噛合う被噛合部を噛合わせて配設し、ノック体を押動することにより回転カムを摺動させると共に、回転カムの回転に伴い軸筒内に収容した筆記体の筆記先端を軸筒の先端開口部から出没させるノック式筆記具がよく知られている。
【０００３】
前述のノック式筆記具では、非筆記状態において筆記体の筆記先端が軸筒の先端開口部に没入した状態であっても、軸筒の先端開口部側を下に向けて落下した際の落下衝撃による慣性力で、コイルバネで後方へ弾発されている状態の筆記体の筆記先端が、軸筒の先端開口部から突出してしまい、筆記先端を破損や損傷させてしまうという問題があった。
【０００４】
前記問題を解消するためには、非筆記状態において筆記体の筆記先端が軸筒の先端開口部から突出しないように、筆記体を後方（ノック体側）へ付勢するコイルバネの弾発力を強く設定することが考えられるが、前記バネの弾発力を強くすると、筆記体の筆記先端を軸筒の先端開口部から出没させるためのノック体の押動操作が重くなり、筆記具としての使用感を損ねてしまうという問題があった。
【先行技術文献】
【特許文献】
【０００５】
【特許文献１】特開２００３−３０５９９０号公報
【発明の概要】
【発明が解決しようとする課題】
【０００６】
軸筒内に設けたカム溝に沿って摺動可能な摺動突起を有したノック体と、前記ノック体の前方で前記カム溝を摺動して該カム溝の前端部に設けた係止部に係止する係止突起を有した回転カムとを、ノック体に形成した軸心方向に対する傾斜面で構成された凹凸状の噛合部に、回転カムに形成した前記噛合部に噛合う被噛合部を噛合わせて配設し、前記ノック体を押動することにより前記回転カムを摺動させると共に、該回転カムの回転に伴い軸筒内に収容した筆記体の筆記先端を軸筒の先端開口部から出没させるノック式筆記具において、非筆記状態における筆記体の筆記先端が軸筒の先端開口部に没入した状態で、軸筒の先端開口部側を下に向けて落下しても、筆記体の筆記先端が軸筒の先端開口部から突出しない構造のノック式筆記具を得ることにある。
【課題を解決するための手段】
【０００７】
本発明は、
「軸筒内に設けたカム溝に沿って摺動可能な摺動突起を有したノック体と、前記ノック体の前方で前記カム溝を摺動して該カム溝の前端部に設けた係止部に係止する係止突起を有した回転カムとを、ノック体に形成した軸心方向に対する傾斜面で構成された凹凸状の噛合部に、回転カムに形成した前記噛合部に噛合う被噛合部を噛合わせて配設し、前記ノック体を押動することにより前記回転カムを摺動させると共に、該回転カムの回転に伴い軸筒内に収容した筆記体の筆記先端を軸筒の先端開口部から出没させるノック式筆記具であって、側方に後方から前方へ向かって外方へ拡がる傾斜部を有した板バネを配し、前方に前記筆記体の後端部を保持する保持孔を有した保持体を、前記回転カムに設けた開口部へ挿着させ、前記軸筒の先端開口部に前記筆記体の筆記先端が没入した状態では、前記板バネが弾性力で外方に拡がり当該板バネの前端部が該軸筒の側面に形成した係止窓に係止され、前記筆記体の筆記先端が没入した状態から前記ノック体を押動した状態では、該ノック体に従動して前進した前記回転カムの前端部が前記板バネの傾斜面に当接することで、該板バネが内方へ弾性変形して当該板バネの前端部と前記係止窓との係止状態を解除し、前記軸筒の先端開口部から前記筆記体の筆記先端が突出した状態では、前記保持体の後端部が前記回転カムに当接して筆圧を受ける構造を特徴としたノック式筆記具。」である。
【０００８】
軸筒の側面に形成する係止窓は、ノックの操作性を妨げないように、また係止状態から解除状態および解除状態から係止状態への動作をスムーズに行えるようにするため、係止する保持体の板バネの前端部より若干大きく形成することが好ましい。尚、係止窓は、軸筒の側面を貫通させる形態でも軸筒の内面に凹部を設ける形態でもよい。
【０００９】
本発明における筆記体とは、ボールペンチップを前方に有し、軸体内に水性、油性またはゲル状のボールペン用インキを収容したボールペンレフィル、ペン先が繊維束からなり軸体内にマーカー用インキを収容したマーカー用のレフィル、チャックや芯タンク等で構成されたシャープペンシルユニットなど前方に筆記先端を有した構造のものである。
【発明の効果】
【００１０】
本発明のノック式筆記具は前述したような構造なので、筆記体を後方へ付勢するコイルバネの弾発力を強く設定することなく、非筆記時において筆記体の筆記先端が軸筒の先端開口部に没入した状態で落下した場合には、板バネの前端部が軸筒の係止窓に係止していることから、保持体の前進が規制され、結果的に保持体に保持された筆記体の前進も規制されるので、落下衝撃の慣性力による筆記先端の破損や損傷を防ぐことができるものとなった。
【図面の簡単な説明】
【００１１】
【図１】本発明のノック式筆記具の実施例を示す図で、筆記体の筆記先端を軸筒内に没入させた状態を示す縦断面図である。
【図２】図１の状態における姿図である。
【図３】本実施例のノック式筆記具における部品の一部を分解した状態を示す図である。
【図４】図３の部品を組立てた状態を示す図である。
【図５】筆記体の筆記先端を軸筒内に没入させた状態で地面に落下させた状態を示す縦断面図である。
【図６】本実施例のノック式筆記具のノック体を押動して筆記体の筆記先端を軸筒の先端開口から突出させる状態を示す縦断面図である。
【図７】筆記体の筆記先端を軸筒の先端開口部から突出させる状態を示す縦断面図である。
【図８】図７の状態における姿図である。
【図９】ボールペンレフィルを交換する状態を示す図である。
【発明を実施するための形態】
【実施例】
【００１２】
本発明のノック式筆記具の実施例を、図面を用いて説明する。図１に示すように、本実施例のノック式筆記具１は、従来のノック式筆記具と同様に、軸筒２の内壁面には、軸心方向に沿って延びた軸径方向の深さが深いカム溝と浅いカム溝とを周状に配列したカム溝３を設けてある。またカム溝３には、ノック体４の前方の側面に形成した摺動突起４ａを摺動可能に配してあり、ノック体４の下方に開口を形成した凹部４ｂの内方には、回転カム５の後方小径部５ａを上部に隙間部Ｓ１を設けて、前後方向に摺動可能に挿着してある。尚、本実施例のノック式筆記具１に設けた回転カム機構は、回転カム５の側面にカム溝３に対して摺動可能な係止突起５ｂを形成してあり、図示しないがノック体４に形成した軸心方向に傾斜面で構成された凹凸状の噛合部に、回転カム５に形成した被噛合部を噛合わせて配設し、ノック体４を押動することにより回転カムを摺動させながら回転させる従来構造の回転カム機構である。
【００１３】
また、軸筒２の内部には、ボールペンレフィル６を、ボールペンレフィル６の凸部６ａと口金７との間に配したコイルバネ８により後方へ付勢して収容してある。ボールペンレフィル６の後端部６ｂは、回転カム５とボールペンレフィル６との間に介在させた保持体９の本体部材１０に形成した保持孔１０ａに嵌着させてある。本実施例における保持体９は、詳細は後述するが、保持体本体１０と、保持体１０の側方に後方から前方へ向かって外方へ拡がる傾斜部１１ａを有した板バネ１１と、板バネ１１を保持体本体１０に固定する固定筒１２とで構成してある。図１における保持体９は、回転カム５の前方に形成した開口部５ｃに、板バネ１１の傾斜部１１ａを前方から露出させ、上部に隙間Ｓ２を設けて、前後方向に摺動可能に挿着してある。また、板バネ１１の前端部１１ｂは、傾斜部１１ａに対して曲折した軸心に沿った形状にしてあり、ボールペンレフィル６の筆記先端６ｃが軸筒２の前端である口金７の先端開口部７ａに没入した非筆記状態では、図１および図２に示すとおり、板バネ１１の前端部１１ｂが軸筒２の側面に形成した係止窓２ａに係止した状態となる。
【００１４】
次に、図３を用いて保持体９の構造について詳述を行なう。保持体本体１０は、前方に大径部１０ｂを後方に小径部１０ｃを形成してあり、大径部１０ｂに前述したボールペンレフィル６の後端部６ｂを嵌着する保持孔１０ａを形成してある。本実施例では保持孔１０ａの内面に隆起部１０ｄを形成して、ボールペンレフィル６が外れ難いようにしてある。また二枚の細巾の板バネ１１は、上方部をクランク形状に曲成してあり、水平部１１ｃの上部に上方垂直部１１ｄを形成し、水平部１１ｃの下部に前記傾斜部１１ａに連設する下方垂直部１１ｅを形成してある。板バネ１１の水平面１１ｃは、保持体本体１０における大径部１０ｂと小径部１０ｃとを連接する円形状の水平面１０ｅに当接させ、板バネ１１の上方垂直部１１ｄは、固定筒１２に形成した貫通孔１２ａの内面に設けた係止溝１２ｂに挿通させ、固定筒１２の貫通孔１２ａに対して保持体本体１０の小径部１０ｃを圧入させ、図４に示すように保持筒９を一体の状態に形成した。
【００１５】
本実施例のノック式筆記具１は、図５に示すように、ボールペンレフィル６の筆記先端６ｃが軸筒２の先端開口部７ａに没入した状態で落下して地面に衝突した場合には、板バネ１１の前端部１１ｂが軸筒２の係止窓２ａに係止していることから、保持体９の前進が規制され、保持体本体１０の保持孔１０ａに保持させたボールペンレフィル６の前進を防ぐことができ、筆記先端６ｃが軸筒２の先端開口部７ａから突出して床Ｇに接触することはなく、筆記先端６ｃの破損や損傷を防ぐことができた。
【００１６】
次に、図６〜図８を用いてノック操作時における説明を行なう。図６に示すように、ノック体４を前方へ押動することにより、ノック体４に当接した回転カム５が前進して、回転カム５の前端に形成した内向きの傾斜面５ｄにより板バネ１１の傾斜部１１ａが内方へ変形し、前端部１１ｂと軸筒２の係止窓２ａとの係止状態が解除され、保持体９および筆記体６がコイルバネ８の弾発力に抗して前進し、従来のノック式筆記具同様にカム溝３の先端部に位置する係止部３ａに回転カム５の被係止部５ｅを係止させて、ボールペンレフィル６の筆記先端６ｃを口金７の先端開口部７ａから突出させた状態を維持することができた。この状態で保持体９の後端部は回転カム５の開口部５ｃの奥に当接してボールペンレフィル６にかかる筆圧を受け、筆記を行える状態となる。尚、図７の状態でノック体４を再操作することにより、図１に示す位置にまでボールペンレフィル６および保持体９は後退し、板バネ１１の前端部１１ｂが傾斜部１１ａの弾性力により外方に開いて、軸筒２の係止窓２ａに係止することができた。また本実施例では軸筒２の内面に、軸心に沿って長手に形成した摺動凸部２ｂを設けてあることから、板バネ１１が摺動凸部２ｂに沿って前後方向に摺動して、保持体９が回転することなく、板バネ１１の前端１１ｂを確実に係止窓２ａに係止させることができた。
【００１７】
図９は軸筒２から口金７を螺脱した状態を示す図であり、この状態で保持体９、回転カム５、ノック体４ならびにボールペンレフィル６は、保持体９の板バネ１１の前端部１１が軸筒２の係止窓２ａに係止されていることから、抜け落ちが防止された状態になっており、ボールペンレフィル６の着脱を容易に行なうことができた。
【産業上の利用可能性】
【００１８】
本発明は、軸筒内に設けたカム溝に沿って摺動可能な摺動突起を有したノック体と、前記ノック体の前方で前記カム溝を摺動して該カム溝の前端部に設けた係止部に係止する係止突起を有した回転カムとを、ノック体に形成した軸心方向に対する傾斜面で構成された凹凸状の噛合部に、回転カムに形成した前記噛合部に噛合う被噛合部を噛合わせて配設し、前記ノック体を押動することにより前記回転カムを摺動させると共に、該回転カムの回転に伴い軸筒内に収容した筆記体の筆記先端を軸筒の先端開口部から出没させるノック式筆記具において、落下による筆記体の筆記先端の損傷を防ぎたい場合に適用する。
【符号の説明】
【００１９】
１…ノック式筆記具、
２…軸筒、２ａ…係止窓、２ｂ…摺動凸部、
３…カム溝、３ａ…係止部、
４…ノック体、４ａ…摺動突起、４ｂ…凹部、
５…回転カム、５ａ…後方小径部、５ｂ…係止突起、５ｃ…開口部、
５ｄ…傾斜面、５ｅ…被係止部、
Ｓ１…隙間部、
６…ボールペンレフィル、６ａ…凸部、６ｂ…後端部、６ｃ…筆記先端、
７…口金、７ａ…先端開口部、
８…コイルバネ、
９…保持体、
１０…本体部材、１０ａ…保持孔、１０ｂ…大径部、１０ｃ…小径部、
１０ｄ…隆起部、１０ｅ…水平面、
１１…板バネ、１１ａ…傾斜部、１１ｂ…前端部、１１ｃ…水平部、
１１ｄ…上方垂直部１１ｄ、１１ｅ…下方垂直部、
１２…固定筒、１２ａ…貫通孔、１２ｂ…係止溝、
Ｓ２…隙間部、
Ｇ…床。
【図１】
2012131185.tif 000003
【図２】
2012131185.tif 000004
【図３】
2012131185.tif 000005
【図４】
2012131185.tif 000006
【図５】
2012131185.tif 000007
【図６】
2012131185.tif 000008
【図７】
2012131185.tif 000009
【図８】
2012131185.tif 000010
【図９】
2012131185.tif 000011